(57)【要約】【課題】ハードディスクドライブを冷却する効果がより高い画像形成装置、及び、この画像形成装置に用いられる記憶ユニットを提供する。【解決手段】画像形成装置は、第３の面９１Ｃと空間を隔てて対向し、孔７１Ａが形成された第１の主壁７１、第４の面９１Ｄと空間を隔てて対向し、孔８１Ａが形成された第２の主壁８１を有する。画像形成装置は、第１の面９１Ａと空間を隔てて対向する第１の側壁８２、及び、第２の面９１Ｂと空間を隔てて対向する第２の側壁８３を有する。画像形成装置は、ハードディスクドライブ９１との間に空気を流すための通風路６２を形成する通路形成部としての第１ケース７０及び第２ケース８０を有する。吸気用ファンは、第１の主壁７１を介して第３の面９１Ｃと対向するように配置され、第１の主壁７１に向けて送風する。【選択図】図７
2015185189.tif 000002
【特許請求の範囲】
【請求項１】
一対の面である第１の面及び前記第１の面とは反対側の第２の面、ならびに、前記第１の面及び前記第２の面よりも広い面積を持つ一対の面である第３の面及び第４の面が形成されているハードディスクドライブと、
前記第１の面と空間を隔てて対向する壁部である第１の側壁と、
前記第２の面と空間を隔てて対向する壁部である第２の側壁と、
前記第３の面と空間を隔てて対向する壁部であって、孔が形成された第１の主壁と、
前記第４の面と空間を隔てて対向する壁部であって、孔が形成された第２の主壁と、
前記ハードディスクドライブとの間に空気を流すための通風路を形成する通路形成部と、
前記第１の主壁を介して前記第３の面と対向するように配置され、前記第１の主壁に向けて送風する送風部と、
前記ハードディスクドライブに記憶されている情報に基づいて媒体に記録する記録部と  を有する画像形成装置。
【請求項２】
前記第１の主壁及び前記第２の主壁が鉛直方向に沿うように、又は、前記第１の主壁及び前記第２の主壁が前記鉛直方向に対して所定の角度範囲内において傾斜するように前記ハードディスクドライブが配置されている
請求項１に記載の画像形成装置。
【請求項３】
前記通路形成部が前記ハードディスクドライブを保護するためのケースであり、
前記ハードディスクドライブが前記通路形成部に固定されている
請求項１又は２に記載の画像形成装置。
【請求項４】
前記通風路のうちの前記第１の側壁と前記第１の面との間に形成されている部分である第１の通路の流路面積、及び、前記通風路のうちの前記第２の側壁と前記第２の面との間に形成されている部分である第２の通路の流路面積が、前記通風路のうちの前記第１の主壁と前記第３の面との間に形成されている部分である第３の通路の流路面積よりも広い
請求項１〜３のいずれか一項に記載の画像形成装置。
【請求項５】
媒体に記録する記録部、及び、空気を送風する送風部を有する画像形成装置に用いられる記憶ユニットであって、
一対の面である第１の面及び前記第１の面とは反対側の第２の面、ならびに、前記第１の面及び前記第２の面よりも広い面積を持つ一対の面である第３の面及び第４の面が形成されているハードディスクドライブと、
前記第１の面と空間を隔てて対向する壁部である第１の側壁と、
前記第２の面と空間を隔てて対向する壁部である第２の側壁と、
前記第３の面と空間を隔てて対向する壁部であって、孔が形成された第１の主壁と、
前記第４の面と空間を隔てて対向する壁部であって、孔が形成された第２の主壁と、
前記ハードディスクドライブとの間に空気を流すための通風路を形成する通路形成部とを有し、
前記送風部から送風された空気を前記第１の主壁で受ける
記憶ユニット。
【発明の詳細な説明】
【技術分野】
【０００１】
本発明は、送風部を有する画像形成装置、及び、この画像形成装置に用いられる記憶ユニットに関する。
【背景技術】
【０００２】
従来の画像形成装置は、特許文献１に記載される画像形成装置等のように、ハードディスクドライブを含む記憶ユニットを内蔵している。このような画像形成装置によれば、ハードディスクドライブに記憶されている情報に基づいて媒体に情報を記録できる。
【０００３】
また、この画像形成装置は、記憶ユニットのハードディスクドライブを冷却するための送風部をさらに有している。このため、ハードディスクドライブが発熱しても、送風部から送風された空気によりハードディスクドライブが冷却されることにより、熱に起因してハードディスクドライブが損傷するおそれが低減される。
【先行技術文献】
【特許文献】
【０００４】
【特許文献１】特開２００７−１５６０９８号公報
【発明の概要】
【発明が解決しようとする課題】
【０００５】
しかし、特許文献１の記憶ユニットによれば、送風部から送風された空気によりハードディスクドライブの一方の側面は冷却できるものの、その一方の側面とは反対側の側面の冷却が十分にできなかった。このため、ハードディスクドライブが十分に冷却されないおそれがある。
【０００６】
本発明の目的は、ハードディスクドライブを冷却する効果がより高い画像形成装置、及び、この画像形成装置に用いられる記憶ユニットを提供することである。
【課題を解決するための手段】
【０００７】
以下、上記課題を解決するための手段及びその作用効果について記載する。
上記課題を解決する画像形成装置の画像形成装置は、一対の面である第１の面及び前記第１の面とは反対側の第２の面、ならびに、前記第１の面及び前記第２の面よりも広い面積を持つ一対の面である第３の面及び第４の面が形成されているハードディスクドライブと、前記第１の面と空間を隔てて対向する壁部である第１の側壁と、前記第２の面と空間を隔てて対向する壁部である第２の側壁と、前記第３の面と空間を隔てて対向する壁部であって、孔が形成された第１の主壁と、前記第４の面と空間を隔てて対向する壁部であって、孔が形成された第２の主壁と、前記ハードディスクドライブとの間に空気を流すための通風路を形成する通路形成部と、前記第１の主壁を介して前記第３の面と対向するように配置され、前記第１の主壁に向けて送風する送風部と、前記ハードディスクドライブに記憶されている情報に基づいて媒体に記録する記録部とを有する。
【０００８】
本画像形成装置によれば、送風部により送風された空気が、第１の主壁に形成されている孔を通過し、ハードディスクドライブの第３の面に当てられる。すなわち、第１の面及び第２の面よりも広い面積を持つ第３の面に、送風部から送風された空気が直接的に当てられる。このため、送風部から送風された空気が、例えば第１の面又は第２の面に直接的に当てられる場合と比較して、ハードディスクドライブを冷却する効果が高くなる。
【０００９】
また、上記画像形成装置において、前記第１の主壁及び前記第２の主壁が鉛直方向に沿うように、又は、前記第１の主壁及び前記第２の主壁が前記鉛直方向に対して所定の角度範囲内において傾斜するように前記ハードディスクドライブが配置されていることが好ましい。
【００１０】
本画像形成装置によれば、鉛直方向に沿うように、又は、鉛直方向に対して所定の角度範囲内の傾き（例えば比較的小さな傾き）を持って傾斜するように、第１の主壁と第３の面との間に通風路が形成される。このため、第３の面から熱を受けた空気が上昇しようとすることにより形成される空気の流れが妨げられにくく、通風路において滑らかな空気の流れが形成されやすくなる。
【００１１】
また、上記画像形成装置において、前記通路形成部が前記ハードディスクドライブを保護するためのケースであり、前記ハードディスクドライブが前記通路形成部に固定されていることが好ましい。
【００１２】
本画像形成装置によれば、通路形成部がハードディスクドライブを保護するためのケースとしての役割、及び、ハードディスクドライブの周囲に通風路を形成する物体としての役割を兼ねている。このため、ケース、及び、通風路を形成する物体を個別に有する場合と比較して部品が少なくなる。
【００１３】
また、上記画像形成装置において、前記通風路のうちの前記第１の側壁と前記第１の面との間に形成されている部分である第１の通路の流路面積、及び、前記通風路のうちの前記第２の側壁と前記第２の面との間に形成されている部分である第２の通路の流路面積が、前記通風路のうちの前記第１の主壁と前記第３の面との間に形成されている部分である第３の通路の流路面積よりも広いことが好ましい。
【００１４】
本画像形成装置によれば、第３の通路と第１の通路とが合流する部分、及び、第３の通路と第２の通路とが合流する部分に通路の曲がりが形成される。このため、送風部から送風された空気が、第３の通路から第１の通路又は第２の通路に流れるときに流れの方向が大きく変化し、空気が滞留しやすい。本画像形成装置は、このような事項を踏まえ、上記のとおり流路面積を設定している。このため、そのように流路面積が設定されていない場合と比較して、通路の曲がりの部分に空気が滞留しにくく、通風路において滑らかな空気の流れが形成されやすくなる。
【００１５】
上記課題を解決する記憶ユニットは、媒体に記録する記録部、及び、空気を送風する送風部を有する画像形成装置に用いられる記憶ユニットであって、一対の面である第１の面及び前記第１の面とは反対側の第２の面、ならびに、前記第１の面及び前記第２の面よりも広い面積を持つ一対の面である第３の面及び第４の面が形成されているハードディスクドライブと、前記第１の面と空間を隔てて対向する壁部である第１の側壁と、前記第２の面と空間を隔てて対向する壁部である第２の側壁と、前記第３の面と空間を隔てて対向する壁部であって、孔が形成された第１の主壁と、前記第４の面と空間を隔てて対向する壁部であって、孔が形成された第２の主壁と、前記ハードディスクドライブとの間に空気を流すための通風路を形成する通路形成部とを有し、前記送風部から送風された空気を前記第１の主壁で受ける。
【００１６】
本記憶ユニットによれば、第１の面及び第２の面よりも広い面積を持つ第３の面に、送風部から送風された空気が直接的に当てられる。このため、送風部から送風された空気が、例えば第１の面又は第２の面に直接的に当てられる場合と比較して、ハードディスクドライブを冷却する効果が高くなる。
【図面の簡単な説明】
【００１７】
【図１】一実施形態のプリンターを模式的に示す斜視図。
【図２】同実施形態における記憶ユニットの斜視図。
【図３】同実施形態のメイン基板の斜視図。
【図４】同実施形態のメイン基板にハードディスクドライブユニットが取り付けられた状態のメイン基板及びハードディスクドライブユニットの斜視図。
【図５】同実施形態のハードディスクドライブユニットの正面図。
【図６】同実施形態のハードディスクドライブユニットの背面図。
【図７】図５におけるＤ７−Ｄ７線矢視断面図。
【発明を実施するための形態】
【００１８】
以下、画像形成装置をインクジェット式プリンターに具体化した一実施形態について、図面を参照して説明する。
図１に示すように、プリンター１１は、車輪１２が下端に取り付けられた脚部１３、及び、脚部１３の上方に組み付けられている略直方体状の装置本体１４を有する。
【００１９】
装置本体１４の後方には、上方に向けて突出する給送部１５が取り付けられている。給送部１５の内部には、媒体の一例としての長尺の用紙１００が円筒状に巻き重ねられたロール紙１１０が装填されている。装置本体１４の外装を構成する筐体１６において、給送部１５の前方の位置には、給送部１５から送り出される用紙１００を筐体１６の内部へ導入するための挿入口１７が形成されている。
【００２０】
一方、装置本体１４の前面側には、用紙１００を筐体１６の外部に排出するための排出口１８が形成されている。なお、筐体１６の内部には、給送部１５から給送された用紙１００を挿入口１７側から排出口１８側に向けて搬送する媒体搬送装置（図示略）が収容されている。そして、装置本体１４の前面側において排出口１８よりも下方となる位置には、排出口１８から排出された用紙１００を受ける媒体受けユニット１９が取り付けられている。
【００２１】
また、装置本体１４の上部において、装置本体１４の長手方向Ｘで用紙１００の搬送経路の外側となる一端側（図１では右端側）には、ユーザーがプリンター１１の設定操作及び入力操作を行うための操作パネル２０が取り付けられている。さらに、装置本体１４の下部において、長手方向Ｘで用紙１００の搬送経路の外側となる一端側（図１では右端側）には、液体の一例としてのインクを収容している液体収容容器２２が取り付けられている。
【００２２】
液体収容容器２２は、一例として、４つ取り付けられている。４つの液体収容容器２２は、それぞれ異なる色のインクを収容している。４つの液体収容容器２２が装置本体１４の長手方向Ｘに並ぶように配置されることで、液体収容ユニット２１を構成している。なお、液体収容ユニット２１は、装置本体１４に各液体収容容器２２が固定された状態において、装置本体１４の前方に露出した部分を有している。そして、液体収容ユニット２１は、その露出した部分の両側面及び底面が、装置本体１４に固定されている断面略Ｕ字状をなすフレーム部材２５により覆われている。
【００２３】
また、筐体１６の内部には、記録部の一例としての液体噴射ヘッド２３を搭載したキャリッジ２４が主走査方向となる装置本体１４の長手方向Ｘに往復移動可能な状態で収容されている。なお、筐体１６の内部には、液体収容容器２２に収容されたインクを液体噴射ヘッド２３に向けて供給するための液体供給装置（図示略）が収容されている。そして、媒体搬送装置によって搬送される用紙１００に対して液体噴射ヘッド２３からインク滴を噴射することにより記録（印刷）が行われる。このようなインク滴の噴射により、液体収容容器２２が収容しているインクが消費される。
【００２４】
さらに、筐体１６の内部には、用紙１００に記録する情報を記憶しているハードディスクドライブ９１（図５参照）を含む記憶ユニット３０が配置されている。
図２に示すように、記憶ユニット３０は、直方体状の収容ボックス４０、ハードディスクドライブ９１のプログラムでプリンター１１を動作させるＣＰＵが搭載されたメイン基板５０、及び、ハードディスクドライブ９１を含むハードディスクドライブユニット６０を有する。
【００２５】
収容ボックス４０は、内部の空間にメイン基板５０及び全体形状が直方体形状のハードディスクドライブユニット６０を収容している。収容ボックス４０の一対の側壁４０Ａ，４０Ｂのうち、一方の側壁４０Ａのハードディスクドライブユニット６０と対向する部分の表面には、吸気用ファン４１が取り付けられている。収容ボックス４０において、一対の側壁４０Ａ，４０Ｂの間に位置する正面壁４０Ｃの上部には、排気用ファン４２が取り付けられている。収容ボックス４０の正面壁４０Ｃのうち、排気用ファン４２が取り付けられている部分の周囲には、複数の排気口４３が形成されている。なお、吸気用ファン４１及び排気用ファン４２は、プリンター１１の電源から電力が供給されることにより駆動する。
【００２６】
収容ボックス４０の正面壁４０Ｃは、４隅に取り付けられたねじ４４により収容ボックス４０の一対の側壁４０Ａ，４０Ｂに固定されている。このため、収容ボックス４０の正面壁４０Ｃは、これらのねじ４４を外すことにより、一対の側壁４０Ａ，４０Ｂから取り外すことが可能となっている。正面壁４０Ｃが、一対の側壁４０Ａ，４０Ｂから取り外されることにより、収容ボックス４０の内部の空間が開放される。このため、ユーザーは、ハードディスクドライブユニット６０の交換等の記憶ユニット３０のメンテナンスを行うことができる。
【００２７】
ハードディスクドライブユニット６０を支持している支持壁４５が、収容ボックス４０の内部において、収容ボックス４０の底壁４０Ｄと平行に取り付けられている。支持壁４５には、ハードディスクドライブユニット６０をメイン基板５０と電気的に接続する際に、ハードディスクドライブユニット６０をメイン基板５０に案内するための２本のガイドレール４６が取り付けられている。なお、ハードディスクドライブユニット６０は、その長手方向が収容ボックス４０の一対の側壁４０Ａ，４０Ｂに沿うように配置されている。
【００２８】
図３及び図４に示すように、メイン基板５０には、コンデンサー等の複数の電子部品が取り付けられている。メイン基板５０の下部には、ハードディスクドライブユニット６０のサブ基板９３（図５参照）とメイン基板５０とを電気的に接続するための雌型コネクター５１が形成されている。
【００２９】
図５及び図６に示すように、ハードディスクドライブユニット６０は、通路形成部の一例としての互いに組み合わせられる第１ケース７０及び第２ケース８０を有する。第１ケース７０及び第２ケース８０は、一例として、鋼板等の金属材料により形成されている。第１ケース７０と第２ケース８０とが組み合わせられることにより形成される内部の空間に直方体形状のハードディスクドライブ９１、コネクター９２、及び、サブ基板９３が配置されている。
【００３０】
ハードディスクドライブ９１は、一対の側面である第１の面９１Ａ及び第１の面９１Ａとは反対側の第２の面９１Ｂ、ならびに、第１の面９１Ａ及び第２の面９１Ｂよりも広い面積を持つ一対の正面である第３の面９１Ｃ及び第４の面９１Ｄを有している。ハードディスクドライブ９１は、４つのねじ６１により第１ケース７０に固定されている。
【００３１】
コネクター９２は、ハードディスクドライブ９１の本体ケースの内部のピボットアッセンブリー（図示略）と電気的に接続されている。サブ基板９３は、コネクター９２と電気的に接続されている。サブ基板９３に形成されている雄型コネクター９３Ａが、メイン基板５０の雌型コネクター５１（図３参照）と接続されることにより、ハードディスクドライブ９１とメイン基板５０とが電気的に接続される。
【００３２】
第１ケース７０は、ハードディスクドライブ９１の第３の面９１Ｃと空間を隔てて対向する壁部である第１の主壁７１、ハードディスクドライブ９１の第１の面９１Ａと空間を隔てて対向する壁部である第１の側壁７２、及び、ハードディスクドライブ９１の第２の面９１Ｂと空間を隔てて対向する壁部である第２の側壁７３を有する。
【００３３】
第１の主壁７１のうち、ハードディスクドライブ９１の第３の面９１Ｃと面する領域には、複数の孔７１Ａが形成されている。第１の主壁７１のうち、サブ基板９３と面する領域には、孔７１Ａが形成されていない。第１の側壁７２及び第２の側壁７３は、第１の主壁７１から第２ケース８０の方向に屈曲している（図７参照）。
【００３４】
第２ケース８０は、ハードディスクドライブ９１の第４の面９１Ｄと空間を隔てて対向する壁部である第２の主壁８１、ハードディスクドライブ９１の第１の面９１Ａと空間を隔てて対向する壁部である第１の側壁８２、及び、ハードディスクドライブ９１の第２の面９１Ｂと空間を隔てて対向する壁部である第２の側壁８３を有する。
【００３５】
第２の主壁８１のうち、ハードディスクドライブ９１の第４の面９１Ｄと面する領域には、複数の孔８１Ａが形成されている。第２の主壁８１のうち、サブ基板９３と面する領域には、孔８１Ａが形成されていない。第１の側壁８２及び第２の側壁８３は、第２の主壁８１から第１ケース７０の方向に屈曲している（図７参照）。第１の側壁８２は、第１の側壁７２よりも下側に位置している。第２の側壁８３は、第２の側壁７３よりも上側に位置している。なお、ハードディスクドライブ９１は、第１の主壁７１及び第２の主壁８１と対向する第３の面９１Ｃ及び第４の面９１Ｄが記憶ユニット３０の高さ方向（鉛直方向）に沿うように配置されている。
【００３６】
図７に示すように、ハードディスクドライブユニット６０の内部には、第１ケース７０及び第２ケース８０とハードディスクドライブ９１との間に空気を流すための通風路６２が形成されている。通風路６２は、第１の側壁８２と第１の面９１Ａとの間に形成されている部分である第１の通路６３、及び、第２の側壁８３と第２の面９１Ｂとの間に形成されている部分である第２の通路６４を含む。また、通風路６２は、第１の主壁７１と第３の面９１Ｃとの間に形成されている部分である第３の通路６５、及び、第２の主壁８１と第４の面９１Ｄとの間に形成されている部分である第４の通路６６を含む。なお、図７において、便宜上、ハードディスクドライブ９１の内部構造の図示を省略している。
【００３７】
第２の通路６４の流路面積は、第１の通路６３の流路面積、第３の通路６５の流路面積、及び、第４の通路６６の流路面積よりも広い。また、第１の通路６３の流路面積は、第３の通路６５の流路面積、及び、第４の通路６６の流路面積よりも広い。そして、第４の通路６６の流路面積は、第３の通路６５の流路面積よりも広い。なお、この場合の流路面積とは、各々の通路６３〜６６をハードディスクドライブ９１の各面９１Ａ，９１Ｂ又は各面９１Ｃ，９１Ｄに沿う方向と直交する平面で切断した場合の流路面積を意味する。
【００３８】
図２及び図７を参照して、記憶ユニット３０の作用について説明する。なお、図７の矢印は、吸気用ファン４１が送風した空気の流れる方向のイメージを示している。
吸気用ファン４１から収容ボックス４０内のハードディスクドライブユニット６０に向けて送風された空気は、第１ケース７０における第１の主壁７１に形成されている孔７１Ａを通過し、第３の面９１Ｃに達する。第３の面９１Ｃに達した空気は、第３の面９１Ｃに沿って流れ、第１の通路６３又は第２の通路６４に達する。第１の通路６３又は第２の通路６４を流れた空気は、第２の主壁８１により流れの方向が変えられ、第４の面９１Ｄに沿って流れる。このようにして、ハードディスクドライブ９１の周囲を流れた空気は、第２ケース８０における第２の主壁８１に形成されている孔８１Ａを通過して、ハードディスクドライブ９１と第２ケース８０との間の空間からその外部に流れ出る。
【００３９】
上記実施形態によれば、以下に示す効果を得ることができる。
（１）吸気用ファン４１により送風された空気が、第１の主壁７１に形成されている孔７１Ａを通過し、ハードディスクドライブ９１の第３の面９１Ｃに当てられる。すなわち、第１の面９１Ａ及び第２の面９１Ｂよりも広い面積を持つ第３の面９１Ｃに、吸気用ファン４１から送風された空気が直接的に当てられる。このため、吸気用ファン４１から送風された空気が、例えば、第１の面９１Ａ又は第２の面９１Ｂに直接的に当てられる場合と比較して、ハードディスクドライブ９１を冷却する効果が高くなる。
【００４０】
（２）第１の面９１Ａ及び第２の面９１Ｂのそれぞれよりも広い面積を持つ第３の面９１Ｃ及び第４の面９１Ｄのそれぞれが、その周囲を流れる空気により冷却される。このため、第３の面９１Ｃ及び第４の面９１Ｄの一方の周囲を空気が流れない場合と比較して、ハードディスクドライブ９１を冷却する効果が高くなる。
【００４１】
（３）記憶ユニット３０の高さ方向（鉛直方向）に沿うように、第１の主壁７１と第３の面９１Ｃとの間に通風路６２が形成される。このため、第３の面９１Ｃから熱を受けた空気が上昇しようとすることにより形成される空気の流れが妨げられにくく、通風路６２において滑らかな空気の流れが形成されやすくなる。
【００４２】
（４）通路形成部としての第１ケース７０及び第２ケース８０が、ハードディスクドライブ９１を保護するためのケースとしての役割、及び、ハードディスクドライブ９１の周囲に通風路６２を形成する物体としての役割を兼ねている。このため、ケース、及び、通風路を形成する物体を個別に有する場合と比較して部品が少なくなる。
【００４３】
（５）第３の通路６５と第１の通路６３とが合流する部分、及び、第３の通路６５と第２の通路６４とが合流する部分に通路の曲がりが形成される。このため、吸気用ファン４１から送風された空気が、第３の通路６５から第１の通路６３又は第２の通路６４に流れるときに流れの方向が大きく変化し、空気が滞留しやすい。記憶ユニット３０は、このような事項を踏まえ、第１の通路６３の流路面積、及び、第２の通路６４の流路面積が、第３の通路６５の流路面積よりも広く設定されている。このため、そのように流路面積が設定されていない場合と比較して、通路の曲がりの部分に空気が滞留しにくく、通風路６２において滑らかな空気の流れが形成されやすくなる。
【００４４】
（６）ハードディスクドライブ９１の制御基板の制御回路から電磁波（ノイズ）が放射される可能性がある。この電磁波がメイン基板５０に伝搬されると、メイン基板５０に実装されている電子部品に影響を及ぼすおそれがある。その点、第１の主壁７１のうち、サブ基板９３と面する領域には、孔７１Ａが形成されていない。このため、ハードディスクドライブ９１の制御基板の制御回路が放射した電磁波が、第１の主壁７１のうち、サブ基板９３と面する領域で遮断されやすい。したがって、メイン基板５０に実装されている電子部品に電磁波が影響することを抑制できる。
【００４５】
（７）第２の主壁８１のうち、サブ基板９３と面する領域には、孔８１Ａが形成されていない。このため、上記（６）に準じた効果が得られる。
（８）吸気用ファン４１によりハードディスクドライブ９１が適切に冷却されるため、ハードディスクドライブ９１の発熱に起因してハードディスクドライブ９１が損傷するおそれが低減される。このため、プリンター１１としての機能が損なわれるおそれも低減され、その信頼性が高められる。
【００４６】
なお、上記実施形態は、以下のような別の実施形態に変更してもよい。
・第１ケース７０及び第２ケース８０の少なくとも一方を省略することができる。すなわち、通路形成部は、実施形態のようにハードディスクドライブ９１の全周を覆っていなくてもよい。通路形成部は、ハードディスクドライブ９１との間に空気を流すことができる形状であればよい。
【００４７】
・第１ケース７０と第２ケース８０とを一体的に形成することもできる。
・ハードディスクドライブ９１を第２ケース８０に固定することもできる。
・排気用ファン４２を省略することもできる。
【００４８】
・第１の主壁７１及び第２の主壁８１が記憶ユニット３０の高さ方向（鉛直方向）に対して所定の角度範囲内において傾斜するようにハードディスクドライブ９１が配置されているようにすることができる。なお、所定の角度範囲は、第３の面９１Ｃから熱を受けた空気が上昇しようとすることにより形成される空気の流れが妨げられにくくなる程度の角度範囲であることが好ましい。
【００４９】
・第１の通路６３の流路面積、及び、第２の通路６４の流路面積の少なくとも一方を、第３の通路６５の流路面積よりも狭くすることもできる。
・第４の通路６６の流路面積を第３の通路６５の流路面積よりも狭くすることもできる。
【００５０】
・正面壁４０Ｃにハードディスクドライブユニット６０が挿入される挿入口が形成され、この挿入口を塞ぐ蓋が取り付けられている構成とすることもできる。この構成によれば、ユーザーは、ハードディスクドライブユニット６０を交換するとき、挿入口の蓋を取り外し、挿入口を介してハードディスクドライブユニット６０のメイン基板５０への取り付け及び取り外しを行う。
【００５１】
・上記実施形態において、プリンター１１は、インク以外の他の液体を噴射したり吐出したりするプリンターであってもよい。なお、プリンターから微小量の液滴となって吐出される液体の状態としては、粒状、涙状、糸状に尾を引くものも含むものとする。また、ここでいう液体は、液体噴射ヘッド２３から噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。また、物質の一状態としての液体のみならず、顔料や金属粒子などの固形物からなる機能材料の粒子が溶媒に溶解、分散又は混合されたものなども含むものとする。
【符号の説明】
【００５２】
１１…画像形成装置の一例としてのプリンター、２３…記録部の一例としての液体噴射ヘッド、３０…記憶ユニット、４１…送風部の一例としての吸気用ファン、４５…支持壁、６２…通風路、６３…第１の通路、６４…第２の通路、６５…第３の通路、７０…通路形成部の一例としての第１ケース、７１…第１の主壁、７１Ａ…孔、７２…第１の側壁、７３…第２の側壁、８０…通路形成部の一例としての第２ケース、８１…第２の主壁、８１Ａ…孔、８２…第１の側壁、８３…第２の側壁、９１…ハードディスクドライブ、９１Ａ…第１の面、９１Ｂ…第２の面、９１Ｃ…第３の面、９１Ｄ…第４の面。
【図１】
2015185189.tif 000003
【図２】
2015185189.tif 000004
【図３】
2015185189.tif 000005
【図４】
2015185189.tif 000006
【図５】
2015185189.tif 000007
【図６】
2015185189.tif 000008
【図７】
2015185189.tif 000009